(57)【特許請求の範囲】
【請求項１】
トリガ操作により塗料を霧状に噴射させる塗装ガンの噴射口部に直接的又は間接的に着脱可能に取り付けられる塗装ガン用刷毛であって、
前記塗装ガン用刷毛は、所定の肉厚を有した環状であり、且つ、前記噴射口部から対向する先端に向けて、開口断面積が大きくなっており、
前記刷毛の内側面には、弾性を有する環状の網材が当接して固定されている
ことを特徴とする塗装ガン用刷毛。
【請求項２】
前記塗装ガン用刷毛は、前記噴射口部から対向する先端に向けて、少なくともその基端部において、広がり角度５°〜１５°にて開口断面積が大きくなっている
ことを特徴とする請求項１に記載の塗装ガン用刷毛。
【請求項３】
前記塗装ガン用刷毛は、所定の肉厚を有した断面楕円形状の環状である
ことを特徴とする請求項１または請求項２に記載の塗装ガン用刷毛。
【請求項４】
前記塗装ガン用刷毛は、所定の肉厚を有した断面矩形形状の環状である
ことを特徴とする請求項１または請求項２に記載の塗装ガン用刷毛。
【請求項５】
塗装ガンの前記噴射口部には、フリーパターンチップを備えたアダプターを有し、
前記刷毛と前記アダプターが一体をなし、塗装ガンの塗装ガン本体に前記アダプターが着脱可能である
ことを特徴とする請求項１〜４の何れかに記載の塗装ガン用刷毛。
【請求項６】
前記刷毛と前記アダプターは着脱可能である
ことを特徴とする請求項５に記載の塗装ガン用刷毛。
【請求項７】
前記塗装ガンの持ち手部に対し、前記アダプターは２８°〜３８°傾斜している
ことを特徴とする請求項５または請求項６に記載の塗装ガン用刷毛。
【請求項８】
前記アダプターは、塗装ガン用刷毛の軸線上において９０°回転可能である
ことを特徴とする請求項５〜７の何れかに記載の塗装ガン用刷毛。
【請求項９】
前記塗装ガンの持ち手部に対し、前記アダプターは、１８０°回転可能である
ことを特徴とする請求項７または請求項８に記載の塗装ガン用刷毛。
【発明の詳細な説明】
【技術分野】
【０００１】
本発明は、塗料を霧状に噴射させる塗装ガンの噴射口部に着脱可能な刷毛に関し、特に、所定の肉厚を有した環状であり、且つ、噴射口部から対向する先端に向けて、開口断面積が大きくなっている塗装ガン用刷毛に関する。
【背景技術】
【０００２】
従来、塗装ガンに接続されて使用される刷毛としては、円柱形状であり、且つ、環状となっていないものがあった（例えば、特許文献１参照）。
【０００３】
【特許文献１】特開２００６−３１４９５０号公報
【０００４】
しかしながら、このような従来の塗装ガン用刷毛では、塗装ガンから霧状に噴射された塗料をその霧状を保持したまま、被塗装面に噴射させることが出来ないため、効率の良い塗装が出来ないという問題があった。
【０００５】
一方、従来、塗料を断面楕円形状に拡散するように噴射可能な塗装ガンは実用化されている。また、断面楕円形状の刷毛も実用化されている。
【０００６】
しかしながら、塗料を断面楕円形状に拡散するように噴射可能な塗装ガンに着脱可能に使用される刷毛であって、断面楕円形状の刷毛は実用化されていない。
【０００７】
塗料を断面楕円形状に拡散するように噴射可能な塗装ガンを単独で使用する際には、噴射される塗料の飛散を規制することが出来ないため、狭小な部位に塗装を行う場合などには不向きであった。また、塗料の飛散による環境劣化を引き起こすという問題もあった。
【０００８】
さらに、被塗装面に対し、塗装ガンによる吹き付けだけでは、所望の塗膜厚が得られず、その結果、塗膜性能を確保することが困難であった。
【０００９】
一方、断面楕円形状の刷毛を単独で使用する際には、塗料貯留管に当該刷毛を浸漬させては、被塗装面に塗料を塗るという作業の繰り返しになるため、作業性が悪いという問題があった。
【発明の開示】
【発明が解決しようとする課題】
【００１０】
本発明は、上記課題を解決する為になされたものであり、被塗装面に対し、刷毛により塗料を塗ることにより、塗膜性能を確保しつつ、塗料を例えば断面楕円形状に拡散するように噴射可能な塗装ガンに着脱可能であり、且つ、当該楕円形状の拡散に追従可能なように、刷毛の形状を例えば断面楕円形状とすることにより、被塗装面の狭小部から幅広部までを、作業性良く塗装することが出来る塗装ガン用刷毛の提供にある。
【課題を解決するための手段】
【００１１】
請求項１に記載の発明は、トリガ操作により塗料を霧状に噴射させる塗装ガンの噴射口部に直接的又は間接的に着脱可能に取り付けられる塗装ガン用刷毛であって、前記塗装ガン用刷毛は、所定の肉厚を有した環状であり、且つ、前記噴射口部から対向する先端に向けて、開口断面積が大きくなっており、前記刷毛の内側面には、弾性を有する網材が当接して固定されていることを特徴とする。
【００１２】
請求項２に記載の発明は、請求項１に記載の塗装ガン用刷毛において、前記塗装ガン用刷毛は、前記噴射口部から対向する先端に向けて、少なくともその基端部において、広がり角度５°〜１５°にて開口断面積が大きくなっていることを特徴とする。
【００１３】
請求項３に記載の発明は、請求項１または請求項２に記載の塗装ガン用刷毛において、前記塗装ガン用刷毛は、所定の肉厚を有した断面楕円形状の環状であることを特徴とする。
【００１４】
請求項４に記載の発明は、請求項１または請求項２に記載の塗装ガン用刷毛において、前記塗装ガン用刷毛は、所定の肉厚を有した断面矩形形状の環状であることを特徴とする。
【００１５】
請求項５に記載の発明は、請求項１〜４の何れかに記載の塗装ガン用刷毛において、前記噴射口部には、フリーパターンチップを備えたアダプターが設けられ、前記刷毛と前記アダプターは一体をなして、塗装ガン本体に前記アダプターが着脱可能であることを特徴とする。
【００１６】
請求項６に記載の発明は、請求項５に記載の塗装ガン用刷毛において、前記刷毛と前記アダプターは着脱可能であることを特徴とする。
【００１７】
請求項７に記載の発明は、請求項５または請求項６に記載の塗装ガン用刷毛において、前記塗装ガンの持ち手部に対し、前記アダプターは２８°〜３８°傾斜していることを特徴とする。
【００１８】
請求項８に記載の発明は、請求項５〜７の何れかに記載の塗装ガン用刷毛において、前記アダプターは、塗装ガン用刷毛の軸線上において９０°回転可能であることを特徴とする。
【００１９】
請求項９に記載の発明は、請求項７または請求項８に記載の塗装ガン用刷毛において、前記塗装ガンの持ち手部に対し、前記アダプターは、１８０°回転可能であることを特徴とする。
【発明の効果】
【００２１】
本発明は、上記の構成としたことにより、以下の効果を奏する。
【００２２】
請求項１の発明によれば、被塗装面に対し、刷毛により塗料を塗ることにより、塗膜性能を確保しつつ、塗料を拡散するように噴射可能な塗装ガンに着脱可能であり、且つ、塗料の飛散による環境劣化を防止することが出来る。また、使用時の刷毛の保形を行うと共に、刷毛に塗料が固着した際にも、刷毛の凝縮を抑制することが出来る。
【００２３】
請求項２の発明によれば、被塗装面に対し、刷毛により塗料を塗ることにより、塗膜性能を確保しつつ、塗料を拡散するように噴射可能な塗装ガンに着脱可能であり、且つ、当該拡散するように噴射された塗料を、好適に塗装ガン用刷毛に馴染ませることが出来る。
【００２４】
請求項３の発明によれば、被塗装面に対し、刷毛により塗料を塗ることにより、塗膜性能を確保しつつ、塗料を断面楕円形状に拡散するように噴射可能な塗装ガンに着脱可能であり、且つ、当該楕円形状の拡散に追従可能なように、刷毛の形状を断面楕円形状とすることにより、被塗装面の狭小部から幅広部までを、作業性良く塗装することが出来る。
【００２５】
請求項４の発明によれば、被塗装面に対し、刷毛により塗料を塗ることにより、塗膜性能を確保しつつ、塗料を断面矩形形状に拡散するように噴射可能な塗装ガンに着脱可能であり、且つ、当該矩形形状の拡散に追従可能なように、刷毛の形状を断面矩形形状とすることにより、被塗装面の狭小部から幅広部までを、作業性良く塗装することが出来る。
【００２６】
請求項５の発明によれば、フリーパターンチップを備えたアダプターと一体をなした刷毛とすることにより、塗装ガン本体に一体にて装着可能であり、装着した際には塗料の拡散領域を制御しつつ、併せて、請求項１〜３の奏する効果を実現することが出来る。
【００２７】
請求項６の発明によれば、消耗品である塗装ガン用刷毛のみの交換を可能としつつ、併せて、請求項４の奏する効果を実現することが出来る。
【００２８】
請求項７の発明によれば、塗装ガンの持ち手部に対し、塗装ガン用刷毛が直線状に延出している場合と比して、被塗装面に対する塗装作業性を向上させることが出来る。
【００２９】
請求項８の発明によれば、例えば断面楕円形状の塗装ガン用刷毛を装着した場合には、塗装ガン用刷毛の長径方向を上下方向と左右方向に使い分けることができる。
【００３０】
請求項９の発明によれば、例えば天井などを塗装する場合にも作業性良く、塗装することが出来る。
【発明を実施するための最良の形態】
【００３２】
実施の形態１．
以下、本発明に係る塗装ガン用刷毛の一実施形態について、図面に基づいて説明する。
【００３３】
図１は、本実施形態に係る塗装ガン用刷毛が接続された塗装ガンの全体斜視図、図２は、本実施形態に係る塗装ガン用刷毛が接続された塗装ガンを分解した側面図である。図３は、本実施形態に係る塗装ガン用刷毛の断面図、図４は、図３に示すＩ−Ｉ断面図である。
【００３４】
図１〜図４において、１は塗装ガン用刷毛、２はフリーパターンチップ２ａを備えたアダプター、３は塗装ガン本体であって、塗装ガン本体３とアダプター２を合わせて塗装ガン４が構成される。
【００３５】
塗装ガン本体３は、従来から実用化されている公知の構造を有し、トリガ３ａを操作することにより、噴射口部３ｂから塗料を噴射させることが出来る。
【００３６】
アダプター２は、塗装ガン本体３から噴射された塗料を例えば断面楕円形状に拡散させる機能を有し、かつ、フリーパターンチップにより、その拡散領域を制御出来る機能を有す。フリーパターンチップは、アダプターに取り付け取り外し可能に構成されている。アダプター２は塗装ガン本体３に螺合接続されている。また、アダプター２を塗装ガン３に対して、あるいは、アダプター２の前半部と後半部の間で所要角度、例えば９０度回転可能に構成しておく場合は、必要に応じて回転させることにより、塗装ガン３に対し、塗装ガン用刷毛１の向きを所要の角度に可変することが出来る。例えばアダプター２を塗装ガン用刷毛１の軸線上において９０度回転可能に構成した場合であって、断面楕円形状の塗装ガン用刷毛１を装着した場合には、塗装ガン用刷毛１の長径方向を上下方向と左右方向に使い分けることができる。
【００３７】
塗装ガン用刷毛１は、断面楕円形状の環状であり、塗装ガン４の噴射口部３ｂから先端に向けて、少なくともその基端部が広がり角度５°〜１５°で大きくなるように形成されている。すなわち、塗装ガン３から噴射された塗料がアダプター２を通過することにより、断面楕円形状に拡散なされ、塗装ガン用刷毛１の開口部１ａを通り、被塗装面に噴射される。
【００３８】
したがって、塗装ガン４から噴射された霧状の塗料は、広がり角度５°〜１５°の塗装ガン用刷毛１に好適に馴染み、被塗装面を塗装することが可能となる。
【００３９】
なお、塗装ガン用刷毛１への塗料の馴染み性を最適化するには、広がり角度８°〜１２°がより好ましい。
【００４０】
また、本実施形態では、塗装ガン用刷毛１の断面形状を楕円としたが、これに限らず、円形、矩形などでも良い。もっとも、塗装ガン４から霧状に噴射される塗料の断面形状に合わせることが望ましい。
【００４１】
以下、塗装ガン用刷毛１の構造について、図３を用いて詳細に説明する。
【００４２】
１１は例えば馬毛により形成された刷毛本体である。もっとも、刷毛本体１１を構成する毛種は何ら限定されるものではない。
【００４３】
刷毛本体１１は、その基端部において、外側の金属枠１２ａ及び内側の金属枠１２ｂにより介在されて固定されている。すなわち、金属枠１２ａ及び１２ｂに刷毛本体１１の根本部を介在させた状態で当該部分に接着材などを流し込むことにより固定される。
【００４４】
なお、本実施形態では、金属枠１２ａ及び１２ｂで構成される基端部の広がり角度を５°〜１５°（より好ましくは８°〜１２°）に設定している。
【００４５】
また、内側の金属枠１２ｂと刷毛本体１１の間には、刷毛本体１１の内側の長手方向所望位置まで延在した弾性を有する網材１３を介在させて共に固定している。
【００４６】
本実施形態における網材１３は、例えば高分子材料で形成されており、刷毛本体１１の内側面に当接されて固定されることにより、塗装時の刷毛本体１１の変形に追従しつつ、刷毛本体１１の保形を行い、更に、塗料が凝固した際に刷毛本体１１が内面側に変形することを防止する機能を有している。
【００４７】
塗装ガン用刷毛１の塗装ガン３側端面には２個の位置決め穴（図示せず）が設けられ、且つ、当該端面には板状の磁石１４が備えられている。
【００４８】
一方、アダプター２の塗装ガン用刷毛１側端面には前記位置決め穴に対応した２個の位置決めピン２ｂが設けられ、かつ、アダプター２の本体は金属で形成されている。
【００４９】
すなわち、塗装ガン用刷毛１とアダプター２は、位置決めされた状態で磁力により接続される。
【００５０】
もっとも、塗装ガン用刷毛１とアダプター２の接続方法、或いは、アダプター２と塗装ガン３の接続方法は、上述した本実施形態に限定されるものではない。
【００５１】
また、本実施形態では、塗装ガン用刷毛１、アダプター２、塗装ガン本体３の３部品を接続する構成としたが、これに限らず、塗装ガン用刷毛１とアダプター２が一体化され、当該一体の状態で、アダプター部が塗装ガン本体３に接続される構成でも良い。もっとも、塗装ガン用刷毛１とアダプター２は着脱可能な状態とすることが好ましい。着脱可能とすることにより、消耗品である塗装ガン用刷毛１のみの交換を可能とするからである。
【００５２】
以上、本実施形態に係る塗装ガン用刷毛１、及び、塗装ガン用刷毛１と共に使用されるアダプター２、塗装ガン３について、その構造及び機能について説明したが、以下、奏する効果について纏める。
【００５３】
被塗装面に対し、刷毛本体１１により塗料を塗ることにより、塗装ガンのみで吹き付ける場合と比して高い塗膜性能を確保しつつ、塗料を断面楕円形状に拡散するように噴射可能な塗装ガン４に着脱可能であり、且つ、当該楕円形状の拡散に追従可能な塗料の流路を確保するために、刷毛本体１１の形状を断面楕円形状とすることにより、塗料の飛散による環境劣化を防止すると共に、長径と短径を有す楕円形状の刷毛により被塗装面の狭小部から幅広部までを、作業性良く塗装することが出来る。
【００５４】
塗装ガン用刷毛１の基端部からの広がり角度を５°〜１５°とすることにより、塗装ガン３から霧状に噴射された塗料を、その噴射状態を保持しつつ、好適に刷毛本体１１に塗料を馴染ませることが出来る。
【００５５】
フリーパターンチップを備えたアダプター２を備えることにより、塗装ガン３に装着した際には、塗料の拡散領域を制御しつつ、併せて、上記効果を実現することが出来る。
【００５６】
塗装ガン用刷毛１とアダプター２を着脱可能とすることにより、消耗品である塗装ガン用刷毛１のみの交換を可能とすることが出来る。
【００５７】
網材１３により、使用時の刷毛本体１１の保形を行うと共に、刷毛本体１１に塗料が固着した際にも、刷毛本体１１の凝縮を抑制することが出来る。
【００５８】
ところで、上述した実施形態においては、図１に示す通り、塗装ガン３の持ち手部に対し、アダプター２及び塗装ガン用刷毛１が直線状に延出したものとしていたが、これに限られるものではない。例えば、図５に示す通り、塗装ガン３の持ち手部に対し、アダプター２が２８°〜３８°の傾斜角θを有したものでも良く、この場合、直線状に延出した場合と比して、作業性、操作性が向上する。また、当該傾斜角θは、３０°〜３３°がより好ましい。なお、この際、断面楕円形状の塗装ガン用刷毛１の長径が傾斜方向に一致していることが作業性上好ましい。
【００５９】
更に、図５に示すアダプター２は、１８０°回転可能（図中、２点破線で示す）としている。よって、１８０°回転した状態においては、例えば、天井などを塗装する際に、作業性が良い。
【００６０】
また、図６は、図５と比較して、アダプター２の傾斜方向を反転させたものである。この場合、例えば、天井などを塗装する際に、作業性が良い。
【図面の簡単な説明】
【００６１】
【図１】本実施形態に係る塗装ガン用刷毛が接続された塗装ガンの全体斜視図である。
【図２】本実施形態に係る塗装ガン用刷毛が接続された塗装ガンを分解した側面図である。
【図３】本実施形態に係る塗装ガン用刷毛の断面図である。
【図４】図３に示すＩ−Ｉ断面図である。
【図５】他の実施形態に係る塗装ガン用刷毛が接続された塗装ガンの全体斜視図である。
【図６】他の実施形態に係る塗装ガン用刷毛が接続された塗装ガンの全体斜視図である。
【符号の説明】
【００６２】
１  塗装ガン用刷毛
２  アダプター
３  塗装ガン
３ｂ  噴射口部
１３  網材
【図１】
0004718525.tif 000002
【図２】
0004718525.tif 000003
【図３】
0004718525.tif 000004
【図４】
0004718525.tif 000005
【図５】
0004718525.tif 000006
【図６】
0004718525.tif 000007